【手続補正書】
【提出日】平成25年4月17日(2013.4.17)
【手続補正１】
【補正対象書類名】特許請求の範囲
【補正対象項目名】全文
【補正方法】変更
【補正の内容】
【特許請求の範囲】
【請求項１】
複数の異種デバイスプラットフォームの間で移行可能なアプリケーショングラフィカルユーザインターフェースウィジェットのレイアウトを動的に同期化するための方法であって、
第１ユーザデバイスのプラットフォーム独立プレゼンテーションランタイム内でのプラットフォーム独立グラフィカルユーザインターフェースウィジェットのインストールに応答して、ウィジェット識別およびウィジェット構成をユーザアカウントデータ構造内に遠隔的に記録することと、
前記ユーザアカウントデータ構造に関連する第２ユーザデバイスのランタイムが対応する構成されたウィジェットを欠いていることの判定に応答して、前記第２ユーザデバイスに更新をプッシュすることと
を備え、前記ウィジェット構成は、実施に関するそれぞれの第１ユーザデバイスおよび第２ユーザデバイスの使用法に依存するコンテンツカスタマイゼーションを含む
方法。
【請求項２】
さらに、前記第２ユーザデバイスの使用法区別を指定するユーザ入力を受け取ることと、
前記ユーザデバイスのうちの１つでの提示のためにウィジェットを選択的に指定し、前記ユーザデバイスのうちの他の１つでの提示を除外するために、ウィジェット構成の一部としてユーザプリファレンスを格納すること、
を備える請求項１に記載の方法。
【請求項３】
さらに、仕事および家庭からなる群から選択された使用法区別を受信することを備える、請求項１に記載の方法。
【請求項４】
さらに、ユーザインターフェースの制約内に留まるためにランタイムが複数のコンテンツアイテムのサブセットを選択的に表示することを可能にするために、複数のコンテンツアイテムを備えるウィジェットをユーザデバイスのうちの１つにプッシュすることを備える、請求項１記載の方法。
【請求項５】
さらに、ウィジェットの提示されるコンテンツを制約する方法での優先順位に関するユーザプリファレンスを受け取ることと、
前記ユーザデバイスのうちの１つに更新として前記優先順位ユーザプリファレンスをプッシュすること
を備える請求項４に記載の方法。
【請求項６】
さらに、ユーザデバイスが、コンテンツの少なくとも一部をスクロールすること、ウィジェットのグラフィックを省略すること、および複数のウィジェットを時系列化することからなる群からとられるコンテンツ縮小オプションを、更新を介して選択することを可能にすることを備える、請求項４記載の方法。
【請求項７】
さらに、ランタイムがユーザデバイスが移動体であるかどうかに依存してウィジェットを選択的に表示することを可能にするための移動体ユーザデバイス使用法との関連付けを備えるウィジェットをユーザデバイスのうちの１つにプッシュすること、を備える請求項１記載の方法。
【請求項８】
さらに、初回ログインの場合にユーザアカウントデータ構造に従って、ウィジェットがユーザデバイスのうちの１つに以前にインストールされたかどうか、およびユーザ入力ウィジェット構成変更が１つのユーザデバイスへのウィジェット構成のプッシュの後に受け取られたかどうかを判定するために、１つのユーザデバイスによるログイン時にユーザアカウントチェックを実行すること、
を備える請求項１機視の方法。
【請求項９】
複数の異種デバイスプラットフォームの間で移行可能なアプリケーショングラフィカルユーザインターフェースウィジェットのレイアウトを動的に同期化するための少なくとも１つのプロセッサであって、
第１ユーザデバイスのプラットフォーム独立プレゼンテーションランタイム内でのプラットフォーム独立グラフィカルユーザインターフェースウィジェットのインストールに応答して、ウィジェット識別およびウィジェット構成をユーザアカウントデータ構造内に遠隔的に記録する第１モジュールと、
ユーザアカウントデータ構造に関連する第２ユーザデバイスのランタイムが対応する構成されたウィジェットを欠いていることの判定に応答して、第２ユーザデバイスに更新をプッシュする第２モジュールと、を備え、
ウィジェット構成は、実施に関するそれぞれの第１ユーザデバイスおよび第２ユーザデバイスの使用法に依存するコンテンツカスタマイゼーションを含む、プロセッサ。
【請求項１０】
複数の異種デバイスプラットフォームの間で移行可能なアプリケーショングラフィカルユーザインターフェースウィジェットのレイアウトを動的に同期化するための命令を格納したコンピュータ読み取り可能な記録媒体であって、
前記命令は、
コンピュータに、第１ユーザデバイスのプラットフォーム独立プレゼンテーションランタイム内でのプラットフォーム独立グラフィカルユーザインターフェースウィジェットのインストールに応答して、ウィジェット識別およびウィジェット構成をユーザアカウントデータ構造内に遠隔的に記録させる少なくとも１つの命令と、
コンピュータに、ユーザアカウントデータ構造に関連する第２ユーザデバイスのランタイムが対応する構成されたウィジェットを欠いていることの判定に応答して、第２ユーザデバイスに更新をプッシュさせる少なくとも１つの命令とを備え、
ウィジェット構成は、実施に関するそれぞれの第１ユーザデバイスおよび第２ユーザデバイスの使用法に依存するコンテンツカスタマイゼーションを含む、コンピュータ読み取り可能な記録媒体。
【請求項１１】
複数の異種デバイスプラットフォームの間で移行可能なアプリケーショングラフィカルユーザインターフェースウィジェットのレイアウトを動的に同期化するための装置であって、
第１ユーザデバイスのプラットフォーム独立プレゼンテーションランタイム内でのプラットフォーム独立グラフィカルユーザインターフェースウィジェットのインストールに応答して、ウィジェット識別およびウィジェット構成をユーザアカウントデータ構造内に遠隔的に記録させるための手段と、
ユーザアカウントデータ構造に関連する第２ユーザデバイスのランタイムが対応する構成されたウィジェットを欠いていることの判定に応答して、第２ユーザデバイスに更新をプッシュさせるための手段と、を備え、
ウィジェット構成は、実施に関するそれぞれの第１ユーザデバイスおよび第２ユーザデバイスの使用法に依存するコンテンツカスタマイゼーションを含む、装置。
【請求項１２】
複数の異種デバイスプラットフォームの間で移行可能なアプリケーショングラフィカルユーザインターフェースウィジェットのレイアウトを動的に同期化するための装置であって、
第１ユーザデバイスのプラットフォーム独立プレゼンテーションランタイム内でのプラットフォーム独立グラフィカルユーザインターフェースウィジェットのインストールに応答して、ウィジェット識別およびウィジェット構成をユーザアカウントデータ構造内に遠隔的に記録するためのネットワークストレージと、
前記ユーザアカウントデータ構造に関連する第２ユーザデバイスのランタイムが対応する構成されたウィジェットを欠いていることの判定に応答して、通信コンポーネントを介して前記第２ユーザデバイスに更新をプッシュするための同期コンポーネントと、
前記第１ユーザデバイスおよび前記第２ユーザデバイスに遠隔的に通信するための通信コンポーネントと、を備え、
前記ウィジェット構成は、実施に関するそれぞれの第１ユーザデバイスおよび第２ユーザデバイスの使用法に依存するコンテンツカスタマイゼーションを含む、装置。
【請求項１３】
前記通信コンポーネントは、前記第２ユーザデバイスの使用法区別を指定するユーザ入力を受け取るために動作し、
前記同期コンポーネントは、前記ユーザデバイスのうちの１つでの提示のためにウィジェットを選択的に指定し、前記ユーザデバイスのうちの他の１つでの提示を除外するために、ウィジェット構成の一部としてユーザプリファレンスを格納するために動作する、
請求項１２に記載の装置。
【請求項１４】
前記通信コンポーネントは、仕事および家庭からなる群から選択された使用法区別を受信するために動作する、請求項１３に記載の装置。
【請求項１５】
前記同期コンポーネントは、ユーザインターフェースの制約内に留まるためにランタイムが複数のコンテンツアイテムのサブセットを選択的に表示することを可能にするために、複数のコンテンツアイテムを備えるウィジェットをユーザデバイスのうちの１つにプッシュするために動作する、請求項１２に記載の装置。
【請求項１６】
前記通信コンポーネントは、ウィジェットの提示されるコンテンツを制約する方法での優先順位に関するユーザプリファレンスを受け取るために動作し、
前記同期コンポーネントは、ユーザデバイスのうちの１つに更新として優先順位ユーザプリファレンスをプッシュするために動作する、請求項１５に記載の装置。
【請求項１７】
さらに、前記同期コンポーネントは、ユーザデバイスが、コンテンツの少なくとも一部をスクロールすること、ウィジェットのグラフィックを省略すること、および複数のウィジェットを時系列化することからなる群からとられるコンテンツ縮小オプションを、更新を介して選択することを可能にする、請求項１５に記載の装置。
【請求項１８】
さらに、前記同期コンポーネントは、ランタイムがユーザデバイスが移動体であるかどうかに依存してウィジェットを選択的に表示することを可能にするための移動体ユーザデバイス使用法との関連付けを備えるウィジェットをユーザデバイスのうちの１つにプッシュする、請求項１２記載の装置。
【請求項１９】
さらに、前記同期コンポーネントは、初回ログインの場合にユーザアカウントデータ構造に従って、ウィジェットがユーザデバイスのうちの１つに以前にインストールされたかどうか、およびユーザ入力ウィジェット構成変更が１つのユーザデバイスへのウィジェット構成のプッシュの後に受け取られたかどうかを判定するために、１つのユーザデバイスによるログイン時にユーザアカウントチェックを実行する、請求項１２記載の装置。
【請求項２０】
複数の異種デバイスプラットフォームのうちの１つであるユーザデバイス上の移行可能なアプリケーショングラフィカルユーザインターフェースウィジェットのレイアウトを動的に同期化するための方法であって、
第１ユーザデバイスのプラットフォーム独立プレゼンテーションランタイム内でプラットフォーム独立グラフィカルユーザインターフェースウィジェットを選択し、構成することと、
ユーザアカウントデータ構造に格納するためにウィジェット識別およびウィジェット構成を遠隔ウィジェットポータルに通信することと、
前記ユーザアカウントデータ構造に関連する第２ユーザデバイスのランタイムが対応する構成されたウィジェットを欠いていることの判定に応答して、遠隔ウィジェットプラットフォームから第２ユーザデバイスにプッシュされた更新を受け取ることと、を備え、
前記ウィジェット構成は、実施に関するそれぞれの第１ユーザデバイスおよび第２ユーザデバイスの使用法に依存するコンテンツカスタマイゼーションを含む、  方法。
【請求項２１】
さらに、前記第２ユーザデバイスの使用法区別を指定するユーザ入力を受け取ることと、
前記ユーザデバイスのうちの１つでの提示のためにウィジェットを選択的に指定し、前記ユーザデバイスのうちの他の１つでの提示を除外するために、ウィジェット構成の一部としてユーザプリファレンスを、前記ユーザ入力にもとづいて、前記遠隔ウィジェットポータルに通信すること、を備える請求項２０に記載の方法。
【請求項２２】
さらに、仕事および家庭からなる群から選択された使用法区別を受信することを備える、請求項２１に記載の方法。
【請求項２３】
さらに、複数のコンテンツアイテムを備える、前記遠隔ウィジェットポータルからプッシュされた前記ユーザデバイスのうちの１つからのウィジェットを受信することと、
前記１つのユーザデバイスのインターフェースの制約内に留まるために、前記複数のコンテンツアイテムのサブセットを選択的に表示すること、を備える
請求項２０に記載の方法。
【請求項２４】
さらに、ウィジェットの提示されるコンテンツを制約する方法での優先順位に関する前記第１のユーザデバイス上のユーザプリファレンスを受け取ることと、
更新として前記遠隔ウィジェットポータルからプッシュされた前記第２のユーザデバイス上の前記優先順位ユーザプリファレンスを受け取ることと、を備える、
請求項２３に記載の方法。
【請求項２５】
さらに、コンテンツの少なくとも一部をスクロールすること、ウィジェットのグラフィックを省略すること、および複数のウィジェットを時系列化することからなる群からとられるコンテンツ縮小オプションを、選択すること、を備える、
請求項２３に記載の方法。
【請求項２６】
移動ユーザデバイス利用関連を構成する前記遠隔ウィジェットポータルから前記ユーザデバイスの１つでウィジェットを受信することと、
前記１つのユーザデバイスが移動体であるかどうかにより、前記ウィジェットを選択的に表示すること、を備える、請求項２０に記載の方法。
【請求項２７】
さらに、初回ログインの場合にユーザアカウントデータ構造に従って、ウィジェットがユーザデバイスのうちの１つに以前にインストールされたかどうか、およびユーザ入力ウィジェット構成変更が１つのユーザデバイスへのウィジェット構成のプッシュの後に受け取られたかどうかを判定するために、前記ユーザデバイスの１つを介して、前記遠隔ウィジェットポータルへのログインを実行すること、を備える、請求項２０に記載の方法。
【請求項２８】
複数の異種デバイスプラットフォームのうちの１つであるユーザデバイス上の移行可能なアプリケーショングラフィカルユーザインターフェースウィジェットのレイアウトを動的に同期化するための少なくとも１つのプロセッサであって、
第１ユーザデバイスのプラットフォーム独立プレゼンテーションランタイム内でプラットフォーム独立グラフィカルユーザインターフェースウィジェットを選択し、構成するための第１のモジュールと、
ユーザアカウントデータ構造に格納するためにウィジェット識別およびウィジェット構成を遠隔ウィジェットポータルに通信する第２のモジュールと、
前記ユーザアカウントデータ構造に関連する第２ユーザデバイスのランタイムが対応する構成されたウィジェットを欠いていることの判定に応答して、遠隔ウィジェットプラットフォームから第２ユーザデバイスにプッシュされた更新を受け取る第３のモジュールと、を備え、
前記ウィジェット構成は、実施に関するそれぞれの第１ユーザデバイスおよび第２ユーザデバイスの使用法に依存するコンテンツカスタマイゼーションを含む、  前記プロセッサ。
【請求項２９】
複数の異種デバイスプラットフォームのうちの１つであるユーザデバイス上の移行可能なアプリケーショングラフィカルユーザインターフェースウィジェットのレイアウトを動的に同期化するための命令を格納したコンピュータ読み取り可能な記録媒体であって、
コンピュータに、第１ユーザデバイスのプラットフォーム独立プレゼンテーションランタイム内でプラットフォーム独立グラフィカルユーザインターフェースウィジェットを選択させ、構成させる少なくとも１つの命令と、
コンピュータに、ユーザアカウントデータ構造に格納するためにウィジェット識別およびウィジェット構成を遠隔ウィジェットポータルに通信させる少なくとも１つの命令と、
コンピュータに、前記ユーザアカウントデータ構造に関連する第２ユーザデバイスのランタイムが対応する構成されたウィジェットを欠いていることの判定に応答して、遠隔ウィジェットプラットフォームから第２ユーザデバイスにプッシュされた更新を受け取らせる少なくとも１つの命令と、を備え、
前記ウィジェット構成は、実施に関するそれぞれの第１ユーザデバイスおよび第２ユーザデバイスの使用法に依存するコンテンツカスタマイゼーションを含む、  前記記録媒体。
【請求項３０】
複数の異種デバイスプラットフォームのうちの１つであるユーザデバイス上の移行可能なアプリケーショングラフィカルユーザインターフェースウィジェットのレイアウトを動的に同期化するための装置であって、
第１ユーザデバイスのプラットフォーム独立プレゼンテーションランタイム内でプラットフォーム独立グラフィカルユーザインターフェースウィジェットを選択し、構成する手段と、
ユーザアカウントデータ構造に格納するためにウィジェット識別およびウィジェット構成を遠隔ウィジェットポータルに通信する手段と、
前記ユーザアカウントデータ構造に関連する第２ユーザデバイスのランタイムが対応する構成されたウィジェットを欠いていることの判定に応答して、遠隔ウィジェットプラットフォームから第２ユーザデバイスにプッシュされた更新を受け取る手段と、を備え、
前記ウィジェット構成は、実施に関するそれぞれの第１ユーザデバイスおよび第２ユーザデバイスの使用法に依存するコンテンツカスタマイゼーションを含む、  装置。
【請求項３１】
複数の異種デバイスプラットフォームのうちの１つであるユーザデバイス上の移行可能なアプリケーショングラフィカルユーザインターフェースウィジェットのレイアウトを動的に同期化するための装置であって、
コンピューティングプラットフォームと、
前記コンピューティングプラットフォーム上で実行されるプラットフォーム独立プレゼンテーションランタイムと、
プラットフォーム独立グラフィカルユーザインターフェースウィジェットを選択し、構成するためのユーザインターフェースと、
ユーザアカウントデータ構造に格納するためにウィジェット識別およびウィジェット構成を遠隔ウィジェットポータルに通信するため、および対応するユーザデバイスランタイムが対応する構成されたウィジェットを欠いていることの判定に応答して、前記ユーザアカウントデータ構造に関連する前記遠隔ウィジェットプラットフォームからプッシュされた更新を受け取るための通信コンポーネントと、をそれぞれが備え、
前記ウィジェット構成は、実施のための前記それぞれのユーザデバイスの使用法に依存するコンテンツカスタマイゼーションを含む、
第１ユーザデバイスおよび第２ユーザデバイス
を備える装置。
【請求項３２】
さらに、前記第２ユーザデバイスの使用法区別を指定するユーザ入力を受け取るための前記ユーザインターフェースと、
前記ユーザデバイスのうちの１つでの提示のためにウィジェットを選択的に指定し、前記ユーザデバイスのうちの他の１つでの提示を除外するために、ウィジェット構成の一部としてユーザプリファレンスを、前記ユーザ入力にもとづいて、前記遠隔ウィジェットポータルに通信する前記通信コンポーネントと、を備える、
請求項３１に記載の装置。
【請求項３３】
さらに、仕事および家庭からなる群から選択された使用法区別を受信する前記通信コンポーネントを備える、請求項３２に記載の装置。
【請求項３４】
さらに、複数のコンテンツアイテムで構成される前記遠隔ウィジェットポータルからプッシュされた前記ユーザデバイス上のウィジェットを受け取る前記通信コンポーネントと、
前記１つのユーザデバイスのユーザインターフェースの制約内に納めるために前記複数のコンテンツアイテムのサブセットを前記ユーザインターフェースで選択的に表示するためのウィジェットランタイムと、を備える請求項３１に記載の装置。
【請求項３５】
さらに、ウィジェットの提示されるコンテンツを制約する方法での優先順位に関する前記第１のユーザデバイス上のユーザプリファレンスを受け取るための前記ユーザインターフェースと、
更新として前記遠隔ウィジェットポータルからプッシュされた前記第２のユーザデバイス上の前記優先順位ユーザプリファレンスを受け取るための前記通信コンポーネントと、を備える、
請求項３４に記載の装置。
【請求項３６】
さらに、コンテンツの少なくとも一部をスクロールすること、ウィジェットのグラフィックを省略すること、および複数のウィジェットを時系列化することからなる群からとられるコンテンツ縮小オプションを、選択するための前記ウィジェットランタイム、を備える、請求項３４に記載の装置。
【請求項３７】
さらに、移動ユーザデバイス利用関連を構成する前記遠隔ウィジェットポータルから前記ユーザデバイスの１つでウィジェットを受信する前記通信コンポーネントと、
前記１つのユーザデバイスが移動体であるかどうかにより、前記ウィジェットを選択的に表示するための前記ウィジェットランタイムと、を備える、
請求項３４記載の装置。
【請求項３８】
さらに、初回ログインの場合にユーザアカウントデータ構造に従って、ウィジェットがユーザデバイスのうちの１つに以前にインストールされたかどうか、およびユーザ入力ウィジェット構成変更が１つのユーザデバイスへのウィジェット構成のプッシュの後に受け取られたかどうかを判定するために、前記ユーザデバイスの１つを介して、前記遠隔ウィジェットポータルへのログインを実行するためのウィジェットランタイムを備える、請求項３１に記載の装置。